(57)【要約】【課題】スルー画像の表示停止直後に撮像された静止画の画質劣化を防止する撮像装置を提供する。【解決手段】本発明の撮像装置２は、被写体光を撮像する撮像素子２１と、撮像素子２１から出力される撮像信号に基づく画像の表示を行なう表示部２３と、表示部２３におけるスルー画像の表示開始を指示する指示部（操作部）２８と、撮像素子２１又はその近傍の温度を検出する温度センサ２７と、指示部２８によりスルー画像の表示開始が指示された場合に、温度センサ２７により検出された指示時の温度に基づいて、表示部２３において開始されたスルー画像の表示処理を変更せしめる表示制御部２０とを備える。【選択図】  図１
2009033508.tif 000002
【特許請求の範囲】
【請求項１】
被写体光を撮像する撮像素子と、
前記撮像素子から出力される撮像信号に基づく画像の表示を行なう表示部と、
前記表示部におけるスルー画像の表示開始を指示する指示部と、
前記撮像素子又はその近傍の温度を検出する温度センサと、
前記指示部により前記スルー画像の表示開始が指示された場合に、前記温度センサにより検出された前記指示時の前記温度に基づいて、前記表示部において開始された前記スルー画像の表示処理を変更せしめる表示制御部と
を備えることを特徴とする撮像装置。
【請求項２】
前記表示制御部は、前記指示時の前記温度が第１温度よりも高いか否かに基づいて、前記表示部で開始された前記スルー画像の表示停止タイミングを異ならしめることを特徴とする請求項１記載の撮像装置。
【請求項３】
前記表示制御部は、前記指示時の前記温度が前記第１温度以上の場合には、前記指示部による前記スルー画像の表示開始から所定時間経過後に、前記スルー画像の表示を停止することを特徴とする請求項２記載の撮像装置。
【請求項４】
前記表示制御部は、前記所定時間内であっても前記温度が前記第１温度よりも高い第２温度を越えた場合には、前記スルー画像の表示を停止することを特徴とする請求項３記載の撮像装置。
【請求項５】
前記表示制御部は、前記指示時の前記温度が前記第１温度よりも低い場合には、前記スルー画像の表示が開始されてから前記温度が前記第１温度よりも高い第２温度に達し、且つそれから更に所定時間経過後に、前記スルー画像の表示を停止することを特徴とする請求項２記載の撮像装置。
【請求項６】
前記所定時間においては、前記スルー画像の表示と共に、前記スルー画像の表示停止に関する警告表示を行なうことを特徴とする請求項３乃至請求項５の何れか一項に記載の撮像装置。
【請求項７】
前記警告表示は、前記スルー画像の表示停止までの残り時間に関する情報が含まれることを特徴とする請求項６記載の撮像装置。
【請求項８】
前記第２温度は、前記撮像素子の使用限界温度及び前記撮像素子の前記所定時間内における上昇温度の少なくとも一方に基づいて定められることを特徴とする請求項４または請求項５に記載の撮像装置。
【請求項９】
前記第１温度及び前記第２温度は、前記撮像素子のＩＳＯ感度に基づいて変更されることを特徴とする請求項８記載の撮像装置。
【請求項１０】
前記所定時間及び前記第１温度の少なくとも一方は、前記指示部による指示時の前記温度に基づいて変更されることを特徴とする請求項３乃至請求項８の何れか一項に記載の撮像装置。
【発明の詳細な説明】
【技術分野】
【０００１】
本発明は、スルー画像の表示を行なう撮像装置に関するものである。
【背景技術】
【０００２】
従来、デジタルカメラにおいては、撮像素子を連続駆動して画像情報（スルー画像）を取得し、液晶表示部にそのスルー画像を連続で表示させる方法（ライブビュー）が知られている。
【０００３】
ライブビューにおいて画像情報（スルー画像）を取得する時間が長くなると、撮像素子等のカメラ内部のデバイスの駆動時間が長くなり、デバイス自体の発熱によりカメラの内部温度が上昇する。カメラの内部温度の上昇により撮像素子においては、暗電流ノイズ等のノイズ量が増大し、それに伴い画像データの画質におけるＳ／Ｎ比が悪化し、画質の低下を招くという問題があった。これは、ライブビュー動作中の液晶画面における画質を悪化させるだけでなく、ライブビュー直後の静止画取得時における画像の画質を悪化させることから重要な問題であった。また、継続して撮像素子の温度上昇が進むと撮像素子の劣化を進行させるという問題もあった。特に、フルサイズ（２４ｍｍ×３６ｍｍ）のような大型の撮像素子を使う際には、この問題が顕著になると予想される。
【０００４】
なお、特許文献１には、推定された撮像素子の温度に基づいて最適な画像処理を行なう撮像装置が開示されている。
【特許文献１】特開２００５−１３００４５号公報
【発明の開示】
【発明が解決しようとする課題】
【０００５】
ところでライブビュー直後の静止画取得時における画像の画質の悪化等を防止するために、ライブビュー動作開始から一定時間経過後に、ライブビュー動作を停止させることが考えられる。しかしながら、この場合には、ライブビュー動作開始から一定時間内に、使用者が自主的にライブビュー動作の停止・開始を繰り返すと、撮像素子の内部温度の上昇が継続され、ライブビュー直後の静止画取得時における画像の画質に悪化等が生じるという問題があった。
【０００６】
本発明の目的は、スルー画像の表示が指示された時点における撮像素子の温度に基づいて、スルー画像の表示処理を変更することにより、スルー画像の表示停止直後に撮像された静止画の画質の劣化を防止する撮像装置を提供することである。
【課題を解決するための手段】
【０００７】
以下に本発明の構成を一実施形態の符号を付して説明するが、本発明は本実施形態の構成に限定されるものではない。
【０００８】
本発明の撮像装置は、被写体光を撮像する撮像素子（２１）と、前記撮像素子から出力される撮像信号に基づく画像の表示を行なう表示部（２３）と、前記表示部におけるスルー画像の表示開始を指示する指示部（２８）と、前記撮像素子又はその近傍の温度を検出する温度センサ（２７）と、前記指示部により前記スルー画像の表示開始が指示された場合に、前記温度センサにより検出された前記指示時の前記温度に基づいて、前記表示部において開始された前記スルー画像の表示処理を変更せしめる表示制御部（２０）とを備えることを特徴とする。
【発明の効果】
【０００９】
本発明の撮像装置によれば、スルー画像の表示が指示された時点における撮像素子の温度に基づいて、スルー画像の表示処理を変更するため、スルー画像の表示停止直後に撮像された静止画の画質劣化を防止することができる。また、撮像素子の温度上昇を抑止することができるので、撮像素子の劣化を防止することができる。
【発明を実施するための最良の形態】
【００１０】
以下、図面を参照して本発明の実施形態に係る撮像装置について説明する。図１は、実施形態に係るデジタルカメラ２のブロック構成図である。図１に示すように、デジタルカメラ（撮像装置）２には、ＣＰＵ２０が設けられており、ＣＰＵ２０には、撮影レンズ（図示せず）を介した被写体光を撮像して撮像信号（蓄積電荷としてのアナログ信号）を生成する撮像素子２１、撮像素子２１から出力された撮像信号を、図示しないＡ／Ｄ変換部においてＡ／Ｄ変換して画像データを生成し、この画像データを一時的に記憶する画像データ記憶部２２、スルー画像等の表示を行なうＬＣＤにより構成される表示部２３、撮像素子２１から出力される撮像信号に基づく画像の表示部２３への表示等を制御する表示制御部２４、撮像素子２１から出力される撮像信号に基づく画像データに、ホワイトバランス調整、輪郭補償、ガンマ補正等の画像処理を行なう画像処理部２５、画像データを記憶するメモリカード２６、デジタルカメラ２の内の撮像素子２１又はその近傍の温度（内部温度）Ｔｉｎを測定する温度センサ２７、デジタルカメラ２の電源をオン／オフする電源ダイヤル、レリーズボタン、メニューボタン等が設けられている操作部（指示部）２８、スルー画像の表示時間を計測するタイマ２９及び所定の温度状況フラグＡＴや制御温度テーブル等を記憶するデータ記憶部３０が接続されている。
【００１１】
ここで、温度センサ２７は、撮像素子２１の裏面あるいは撮像素子２１が搭載される基板上に設けられており、実質的には、撮像素子２１の温度を測定する。なお、温度センサ２７を撮像素子２１の温度を推定することが可能なデジタルカメラ２内部の撮像素子２１の近傍に設けるようにしてもよい。
【００１２】
また、データ記憶部３０には、スルー画像の表示処理を制御する際に用いられる温度制御テーブルが記憶されている。この温度制御テーブルは、撮像素子２１の素子温度とノイズ量との関係に基づいて予め設定され、データ記憶部３０に記憶されている。即ち、デジタルカメラ２においてスルー画像を継続して表示している場合、撮像素子２１が継続して駆動されるため、図２に示すように、撮像素子２１の駆動時間の経過に伴い撮像素子２１の温度が上昇する。図２において、Ｔ１（第２温度）は、撮像素子２１が正常に使用可能な温度、Ｔ１よりも高い温度のＴ２は、撮像素子２１の使用限界温度、Ｔ２よりも高い温度のＴ３は、最大定格温度であり撮像素子２１の機能の劣化の虞のある温度である。ここで、Ｔ１及びＴ２の値は、デジタルカメラ２で静止画像を撮像した場合の画像データの画質におけるＳ／Ｎ比等のノイズ量及びＩＳＯ感度に基づいて予め設定されているものである。
【００１３】
図３は、実施形態に係る撮像素子２１のＩＳＯ感度に基づく素子温度とノイズ量との関係を示した図である。図３において、グラフＡは、ＩＳＯ感度４００の場合における素子温度とノイズ量との関係を、グラフＢは、ＩＳＯ感度８００の場合における素子温度とノイズ量との関係を、グラフＣは、ＩＳＯ感度１６００の場合における素子温度とノイズ量との関係をそれぞれ示している。図３に示すように、撮像素子２１の温度が高くなるに従って、ノイズ量が増加し、撮像素子２１の温度が同じであればＩＳＯ感度の値が大きいほどノイズ量が増加する。図３において、ノイズ量Ｎ２は、静止画像の画像データとして用いることができる限界のノイズ値を示すものである。従って、撮像素子２１のＩＳＯ感度の値が８００に設定されている場合（グラフＢ）には、図３に示すようにＴ２が設定される。なお、素子温度に対応したノイズ量は、撮像素子毎に個体差を生じる場合があることから、製造工程において予め素子温度に対応するノイズ量が測定され、測定されたノイズ量に応じてＴ２の値が設定される。即ち、撮像素子２１毎に静止画像の画像データに含まれるノイズ量が使用に耐え得る限界を示すノイズ量Ｎ２に対応する使用限界温度Ｔ２が設定される。
【００１４】
また、Ｔ１（第２温度）の値は、予め設定された使用限界温度Ｔ２の値に基づき、使用の限界を設定する限界設定値として、Ｔ１＋ΔＴ＜Ｔ２となるように設定される。ここで、ΔＴは、撮像素子２１の温度がＴ１を越えた場合等に、スルー画像を表示部２３に表示するライブビュー動作を停止するまでの時間である警告時間Δｔ（所定時間）の間における撮像素子２１の温度上昇分を示すものである。即ち、ライブビュー動作中に内部温度Ｔｉｎが限界設定値Ｔ１を越えた時点からＴ１＋ΔＴに達するまでの時間として、予め所定の警告時間Δｔを設けておき、限界設定値Ｔ１を越えた時点から、この警告時間Δｔが経過した時点でライブビュー動作を自動的に停止させる。なお、この警告時間Δｔ内における撮像素子２１の温度上昇の誤差と温度センサ２７の内部温度Ｔｉｎの検出誤差を考慮し、撮像素子２１が確実に正常な動作可能な温度として限界設定値Ｔ１の値を設定する。
【００１５】
また、限界設定値Ｔ１の値を設定する際には、併せてＴ０＜Ｔ１となる比較下限温度Ｔ０（第１温度）を設定する。比較下限温度Ｔ０は、内部温度Ｔｉｎが限界設定値Ｔ１を越えた後、十分な冷却期間が取れたか否かを判断する際に用いられる値である。即ち、限界設定値Ｔ１を越えた場合であっても、その後に測定された内部温度Ｔｉｎの値が比較下限温度Ｔ０の値以下であれば、内部温度Ｔｉｎが十分に低下したと判断される。なお、撮像素子２１のＩＳＯ感度の値が４００に設定されている場合には、図３のグラフＡで示すように素子温度とノイズ量との関係が変化し、撮像素子２１のＩＳＯ感度の値が１６００に設定されている場合には、図３のグラフＣで示すように素子温度とノイズ量との関係が変化するため、比較下限温度Ｔ０、限界設定値Ｔ１及び使用限界温度Ｔ２は、ＩＳＯ感度に応じてそれぞれ異なる値に設定される。また撮像素子２１のＩＳＯ感度が被写体光から検出された輝度に基づき自動で設定（決定）される場合（ＩＳＯオートの場合）には、その決定されたＩＳＯ感度に基づいてＴ０、Ｔ１、Ｔ２を決定する。
【００１６】
図４は、データ記憶部３０に記憶される制御温度テーブルの一例を示す図である。即ち、制御温度テーブルとして、各ＩＳＯ感度に応じて予め設定された比較下限温度Ｔ０、限界設定値Ｔ１及び使用限界温度Ｔ２が記憶されている。なお、データ記憶部３０には、制御温度テーブルと共に、撮像素子２１の温度の状況を示す温度状況フラグＡＴが記憶されている。ここで、温度状況フラグＡＴは、デジタルカメラ２の電源投入時には、「０」に設定されており、温度センサ２７により測定された撮像素子２１の温度を示す内部温度Ｔｉｎが限界設定値Ｔ１或いはＴ１＋△Ｔを越えた場合には「１」に設定され、内部温度Ｔｉｎが比較下限温度Ｔ０を下回った場合には、「０」に設定される。
【００１７】
次に、図５のフローチャートを参照して、実施形態に係るデジタルカメラ２のスルー画像表示動作について説明する。まず、デジタルカメラ２の操作部２８に設けられている電源ボタンを操作することによりデジタルカメラ２の電源をＯＮし、操作部２８のレリーズボタンを操作することによりライブビュー動作が開始すると、限界設定値Ｔ１及び比較下限温度Ｔ０が決定される（ステップＳ１０）。即ち、デジタルカメラ２の測光センサ（図示省略）により被写体の輝度が測定され、測定された輝度に基づいて撮像素子２１のＩＳＯ感度が自動的に設定される。次に、設定されたＩＳＯ感度に基づき、データ記憶部３０に記憶されている制御温度テーブルの中から、対応する使用限界温度Ｔ２、限界設定値Ｔ１及び比較下限温度Ｔ０が抽出され、使用限界温度Ｔ２、限界設定値Ｔ１及び比較下限温度Ｔ０が決定される。
【００１８】
次に、内部温度Ｔｉｎを示すデータの取得を開始する（ステップＳ１１）。即ち、温度センサ２７により測定された内部温度Ｔｉｎを示すデータのＣＰＵ２０への入力が開始される。なお、温度センサ２７による内部温度Ｔｉｎの測定は、スルー画像の表示開始時、即ち、ライブビュー動作の開始時時（ライブビュー突入時）と、そのライブビュー動作の開始から、所定タイミング毎（例えば撮像素子２１により撮像信号の出力が行なわれる毎）と、に行なわれ順次ＣＰＵ２０に入力される。
【００１９】
次に、ステップＳ１０において決定された使用限界温度Ｔ２の値と、ライブビュー動作を開始した時点における内部温度Ｔｉｎとを比較する（ステップＳ１２）。内部温度Ｔｉｎの値が使用限界温度Ｔ２の値よりも高くなっている場合には（ステップＳ１２）、温度状況フラグＡＴの値として「１」を設定し（ステップＳ１９）、ライブビュー動作を強制終了する。即ち、ライブビュー動作を開始した時点の内部温度Ｔｉｎの値が、使用限界温度Ｔ２の値よりも高くなっている場合、その状態で静止画像の撮像を行なっても画像データのノイズ量が多く使用に適した画像データを得ることができない。また、ライブビュー動作を行なうことによって、更に内部温度Ｔｉｎが上昇し、撮像素子２１の破壊を招く可能性があるため、例えば、表示部２３に、「ライブビュー動作を開始できません」等の所定の警告メッセージを表示し、スルー画像を表示することなくライブビュー動作を終了する。
【００２０】
一方、内部温度Ｔｉｎの値が使用限界温度Ｔ２の値よりも低い場合には（ステップＳ１２）、温度状況フラグＡＴの値として「１」が設定されているか否かを判断する（ステップＳ１３）。これによって、内部温度Ｔｉｎが直近のライブビュー動作において、限界設定値Ｔ１或いはＴ１＋△Ｔを越えていたものであるかを識別する。温度状況フラグＡＴの値が「１」となっている場合（直近でのライブビューで限界設定値Ｔ１或いはＴ１＋△Ｔを超えていた場合）には（ステップＳ１３）、内部温度Ｔｉｎの値と比較下限温度Ｔ０の値とを比較する（ステップＳ２０）。
【００２１】
内部温度Ｔｉｎの値が、比較下限温度Ｔ０の値よりも低くなっている場合には（ステップＳ２０）、撮像素子２１の温度が十分に低下しているため温度状況フラグＡＴの値として「０」を設定し（ステップＳ２１）、ステップＳ１４の処理に進む。なお、内部温度Ｔｉｎの値が、比較下限温度Ｔ０の値よりも高くなっている場合には、後述するステップＳ１６に進む。
【００２２】
温度状況フラグＡＴの値が「１」でない場合には（ステップＳ１３）、内部温度Ｔｉｎの値と限界設定値Ｔ１の値とを比較する（ステップＳ１４）。即ち、ライブビュー動作を継続している間、ＣＰＵ２０において内部温度Ｔｉｎが順次取得されるため、ステップＳ２３において、操作部２８の操作に応じて、ライブビュー動作の終了指示が出ない限り、ステップＳ１４において、取得された内部温度Ｔｉｎの値と限界設定値Ｔ１の値との比較を繰返し、内部温度Ｔｉｎの値が限界設定値Ｔ１の値を越えるまで比較処理を継続する。
【００２３】
内部温度Ｔｉｎの値が限界設定値Ｔ１の値より高くなった場合には（ステップＳ１４）、温度状況フラグＡＴの値として「１」を設定し（ステップＳ１５）、この時点におけるＩＳＯ感度に基づいて、再度、使用限界温度Ｔ２、限界設定値Ｔ１及び比較下限温度Ｔ０が決定される（ステップＳ１６）。即ち、使用限界温度Ｔ２、限界設定値Ｔ１及び比較下限温度Ｔ０はＩＳＯ感度に応じて異なる値が設定されているため、ステップＳ１５の時点において、測光センサ（図示省略）により測定された輝度に基づき設定された（変更された）ＩＳＯ感度に応じ、図４に示す制御温度テーブルを参照して再度、使用限界温度Ｔ２、限界設定値Ｔ１及び比較下限温度Ｔ０の値が決定される。なお、ＩＳＯ感度が変更されない場合、或いはＩＳＯオートに設定されていない場合には、ステップＳ１０において決定された使用限界温度Ｔ２、限界設定値Ｔ１の値及び比較下限温度Ｔ０の値がそのまま用いられる。
【００２４】
次に、表示部２３に所定の警告を表示し、タイマ２９で前述の警告時間Δｔの計測を開始する（ステップＳ１７）。即ち、図６に示すように、スルー画像２３ａと共にスルー画像を継続して表示可能な時間２３ｂ（警告時間Δｔ）を表示部２３に表示し、警告時間Δｔのカウントダウン表示を行なう。
【００２５】
次に、警告時間Δｔのカウントが完了したか否かを判断し（ステップＳ１８）、警告時間Δｔのカウントが終了していない場合には（ステップＳ１８）、内部温度Ｔｉｎの値が限界設定値Ｔ１（このＴ１は、ステップＳ１６で再決定されたＴ１）の値に、前述の温度上昇分△Ｔを加えた値よりも高くなっているか否かを判断する（ステップＳ２２）。内部温度Ｔｉｎの値が限界設定値Ｔ１＋△Ｔの値を下回っている場合には（ステップＳ２２）、ステップＳ１８に戻り、警告時間Δｔのカウントが終了したか否かを判断する処理を継続する。
【００２６】
ここで、図７は、ライブビュー動作の停止タイミングの一例を説明するための図である。まず、図７に示すように、撮像素子２１の温度（内部温度Ｔｉｎ）は、その駆動時間に伴なって上昇する。警告時間Δｔは、内部温度Ｔｉｎが限界設定値Ｔ１（図５のステップＳ１０で決定されたＴ１）を越えた時点から、限界設定値Ｔ１＋ΔＴの値に達するまでの時間（秒）として予め設定されている時間である。そのため、内部温度Ｔｉｎの値が限界設定値Ｔ１の値を越えた時点（ｔ１）で、警告時間Δｔの計時がタイマ２９により開始され、警告時間Δｔを経過した時点でライブビュー動作が停止される。しかしながら、警告時間Δｔを経過して無い場合であっても、内部温度Ｔｉｎの値が限界設定値Ｔ１＋ΔＴの値（このときＴ１は、図５のステップＳ１６で再決定された値）を越えた場合には、ライブビュー動作が停止される。
【００２７】
従って、上述のように、警告時間Δｔのカウントが終了した場合（ステップＳ１８）、又は、警告時間Δｔのカウントは終了していないが、内部温度Ｔｉｎの値が限界設定値Ｔ１＋ΔＴの値を越えた場合には（ステップＳ２２）、温度状況フラグＡＴの値を設定し（ステップＳ１９）、ライブビュー動作を終了する。
【００２８】
ここで、ステップＳ１９においては、その時点における内部温度Ｔｉｎの値に応じて温度状況フラグＡＴの値がセットされる。即ち、ステップＳ１９の時点において内部温度Ｔｉｎの値が比較下限温度Ｔ０の値よりも低ければ温度状況フラグＡＴの値を「０」に設定し、内部温度Ｔｉｎの値が限界設定値Ｔ１とΔＴとの合計のＴ１＋ΔＴ、あるいはＴ１の値よりも高ければ、その時点における温度状況フラグＡＴの値（「１」に設定されている）を保持する。
【００２９】
ここで、警告時間Δｔのカウントが終了する前であって、かつ、内部温度Ｔｉｎが限界設定値Ｔ１を越え（ｔ１）、その後限界設定値Ｔ１＋ΔＴの値を越える前に、使用者により一時的にライブビュー動作が停止された場合には、以下に図面を参照して説明する処理が行われる。
【００３０】
図８は、ｔ１とｔ２の間の時点において、一時的にライブビュー動作が停止された後、内部温度Ｔｉｎの値が比較下限温温度Ｔ０の値を下回る前に、再度、ｔ２の時点でライブビュー動作が再開された場合の動作を示す図である。図８に示すように、内部温度Ｔｉｎの値が限界設定値Ｔ１の値を越えた場合であっても、一時的に動作が停止されることによって、内部温度Ｔｉｎの値も一時的に低下する。しかしながら、内部温度Ｔｉｎの値が比較下限温度Ｔ０の値を下回らないうちに（ｔ２）、ライブビュー動作が再開された場合には、再開と同時に、タイマ２９における計時をスタートして（図５のフローチャートにおけるステップＳ１７参照）、警告時間Δｔのカウントダウン表示を開始し（図６参照）、警告時間Δｔのカウントが完了したか否かを監視する（図５のフローチャートにおけるステップＳ１８参照）。この時、内部温度Ｔｉｎの値が限界設定値Ｔ１の値を越えていない場合であっても、警告時間Δｔのカウントが完了した場合には（ｔ２+Δｔ）、ライブビュー動作を終了する。また、図８においては図示を省略しているが、警告時間Δｔのカウントが完了していない場合であっても、内部温度Ｔｉｎが限界設定値Ｔ１を越えた場合には、自動的にライブビュー動作を終了する。
【００３１】
図９は、ｔ１＋Δｔの時点で一時的にライブビュー動作が停止された後、内部温度Ｔｉｎの値が比較下限温度Ｔ０の値を下回った時点（時刻ｔ３）において、再度、ライブビュー動作が再開された場合の動作を示す図である。この場合においては、内部温度Ｔｉｎが低下するのに十分な冷却期間が確保されたと判断され、時刻ｔ３以降の動作としては、図５のフローチャートを用いて説明した、図７に示す場合と同様の処理が行われる。即ち、内部温度Ｔｉｎが限界設定値Ｔ１を超えた時点（ｔ４）から所定の警告時間Δｔの間は、スルー画像表示と共に警告表示を行ない、その後ライブビュー動作を終了する。
【００３２】
本実施の形態に係る撮像装置によれば、スルー画像の表示が指示された時点における撮像素子の温度に基づいて、スルー画像の表示動作の停止警告及び停止を行なうことができる。従って、スルー画像の表示動作を継続することにより生じる撮像素子の温度上昇を抑制し、スルー画像の表示停止直後に撮像した静止画における画質劣化を適切に防止することができる。
【００３３】
また、本実施の形態に係る撮像装置によれば、スルー画像の表示が一時的に停止された後、再開された場合において、再開時点の撮像素子の温度が比較下限温度Ｔ０を越えている場合には、再開と同時に警告時間のカウントダウンを開始することができる。従って、スルー画像の表示動作の停止・再開が繰返し行われた場合であっても、適切に静止画における画質劣化を防止することができる。
【００３４】
また、本実施の形態に係る撮像装置によれば、スルー画像の表示が一時的に停止された後、再開された場合において、再開時点の撮像素子の温度が十分低い温度まで低下している場合には、電源投入後、初めてスルー画像の表示を行なう場合と同様の処理を行うことができる。従って、撮像素子の温度に応じて、スルー画像の表示処理を適切に制御することができる。
【００３５】
なお、上述の実施の形態に係る撮像装置においては、Ｔ１＋ΔＴ＜Ｔ２を満足すべく、限界設定値Ｔ１がΔＴ上昇する時間として予め警告時間Δｔを設定しているが、警告時間Δｔを、スルー画像の表示動作が開始された時点で取得された内部温度Ｔｉｎの値に基づいて決定するようにしてもよい。即ち、ライブビュー動作が自動的に停止される前に、使用者によって一時的に停止され、所定時間が経過した後、再度ライブビュー動作が再開された場合において、再開時の内部温度Ｔｉｎの値に応じて、予め設定されている警告時間Δｔの値を短くするようにしてもよい。例えば、内部温度Ｔｉｎの値が限界設定値Ｔ１の値を下回っているが、比較下限温度Ｔ０の値を上回っている場合には、通常、「３０」秒に設定されている警告時間Δｔを、「１５」秒に短縮しカウントダウンを行うようにしてもよい。また、この場合において、内部温度Ｔｉｎの値が限界設定値Ｔ１又はＴ１＋Ｔ０の値を越えた回数に応じて、警告時間Δｔの値を変更するようにしてもよい。即ち、データ記憶部３０において、温度状況フラグＡＴの値として「１」が設定された回数を記憶し、該記憶されている回数に応じて警告時間Δｔの値を変更するようにしてもよい。この場合には、温度状況フラグＡＴの値として「１」が設定された回数が増加するに従って、警告時間Δｔを短くしてもよい。また、ライブビュー動作開示時の内部温度Ｔｉｎに基づいて、比較下限温度Ｔ０を定めるようにしてもよい。
【００３６】
また、ライブビュー再開時の内部温度Ｔｉｎの値や、内部温度Ｔｉｎの値が限界設定値Ｔ１又はＴ１＋Ｔ０の値を越えた回数に応じて、例えば、限界設定値を越えた回数が２回目以降の場合は、比較下限温度Ｔ０の値を高く変更するようにしてもよい。この場合には、例えば、併せて警告時間Δｔを短く変更することが好ましい。
【００３７】
また、使用限界温度Ｔ２、限界設定値Ｔ１及び比較下限温度Ｔ０の決定時におけるＩＳＯ感度に基づいて、警告時間Δｔを変更するようにしてもよい。この場合にはＩＳＯ感度の値が小さい程、警告時間Δｔを長く設定する事が好ましい。
【００３８】
また、上述の実施形態においては、限界設定値Ｔ１の値を使用限界温度Ｔ２及び撮像素子の警告時間内における温度上昇ΔＴに基づいて定めているが、使用限界温度Ｔ２及び撮像素子の警告時間内における温度上昇ΔＴの何れか一方に基づいて定めるようにしてもよい。
【図面の簡単な説明】
【００３９】
【図１】実施の形態に係るデジタルカメラのブロック構成図である。
【図２】実施の形態に係る撮像素子の駆動時間と素子温度との関係を示す図である。
【図３】実施の形態に係る撮像素子の素子温度とノイズ量との関係を示す図である。
【図４】実施の形態に係る制御温度テーブルの一例を示す図である。
【図５】実施の形態に係るデジタルカメラの動作を説明するためのフローチャートである。
【図６】実施の形態に係る警告表示の一例を示す図である。
【図７】実施の形態に係るライブビュー動作の停止を説明するための図である。
【図８】実施の形態に係るライブビュー動作の停止を説明するための図である。
【図９】実施の形態に係るライブビュー動作の停止を説明するための図である。
【符号の説明】
【００４０】
２・・・デジタルカメラ、２０・・・ＣＰＵ、２１・・・撮像素子、２２・・・画像データ記憶部、２３・・・表示部、２４・・・表示制御部、２５・・・画像処理部、２６・・・メモリカード、２７・・・温度センサ、２８・・・操作部、２９・・・タイマ、３０・・・データ記憶部。
【図１】
2009033508.tif 000003
【図２】
2009033508.tif 000004
【図３】
2009033508.tif 000005
【図４】
2009033508.tif 000006
【図５】
2009033508.tif 000007
【図６】
2009033508.tif 000008
【図７】
2009033508.tif 000009
【図８】
2009033508.tif 000010
【図９】
2009033508.tif 000011